(57)【要約】      （修正有）【課題】ルーバー本体を歪ませることなくシールド金具を固定し、安定した電磁シールド特性を得ることができる電磁シールド型ルーバーを提供する。【解決手段】ルーバー本体１０にシールド金具２０を取付けた電磁シールド型ルーバーである。ルーバー本体１０はキャビネットパネルに形成された開口部の外周面に接するフランジ部１１と、ルーバー本体１０をキャビネットの開口部に取付けるための弾性係止爪１４を備え、シールド金具２０はルーバー本体１０の側面１３を覆う側壁２３に複数の孔部２５と、側壁２３の先端に鍔部２４を備え、これらの孔部２５をルーバー本体１０をキャビネットの開口部に取付けるための弾性係止爪１４に嵌入係止することによりルーバーに仮保持し、鍔部２４を上記フランジ部１１とキャビネットパネル３０との間に挟みこむことによりシールド金具２０を固定する。【選択図】図１
2008028054.tif 000002
【特許請求の範囲】
【請求項１】
ルーバー本体と、そのキャビネット内面側に取り付けられたシールド金具とからなる電磁シールド型ルーバーであって、ルーバー本体はキャビネットパネルに形成された開口部の外周面に接するフランジ部と、ルーバー本体をキャビネット開口部に取付けるための弾性係止爪を備え、シールド金具はルーバー本体の側面を覆う側壁に複数の孔部と、側壁の先端に鍔部を備え、これらの孔部をルーバー本体をキャビネット開口部に取付けるための弾性係止爪に嵌入係止することによりルーバーに仮保持し、鍔部を上記フランジ部とキャビネットパネルとの間に挟みこむことによりシールド金具を固定したことを特徴とする電磁シールド型ルーバー
【発明の詳細な説明】
【技術分野】
【０００１】
本発明は、電気電子機器収納用キャビネットに使用される電磁シールド型ルーバーに関するもので、特にルーバー本体のキャビネット内面側にシールド金具を取り付けた電磁シールド型ルーバーに関するものである。
【背景技術】
【０００２】
電気電子機器収納用のキャビネットには、キャビネット内部で発生した熱を外部に逃がすとともに、換気を行うための開口部が設けられている。そしてこの開口部から異物や雨水などが浸入することを防止するために、開口部にはルーバーが取り付けられるのが普通である。特許文献１には、キャビネットパネルに形成された開口部に外側から嵌め込み、弾性爪によって固定されるルーバーが開示されている。
【０００３】
キャビネットパネルは金属製であるために外部からの電磁波を遮断する能力を持つが、開口部を通じてキャビネット内部に侵入する電磁波が、内部機器に影響を及ぼすことがある。そこで従来から、ルーバー本体のキャビネット内面側にシールド金具を取り付けた電磁シールド型ルーバーが開発されている。
【０００４】
図５と図６は、ルーバー本体１へのシールド金具２の一般的な取り付け方法を示す説明図である。図示のように、シールド金具２はルーバー本体１の開口部を覆う電磁シールド用の金網３と、ルーバー本体１の側面を覆う金属製の側壁４とを備えており、ルーバー本体１にキャビネット内面側から被せられる。そして四隅をネジ５によってルーバー本体１に固定されている。また、シールド金具２に設けられている孔部３３は、ルーバーをキャビネットに取付けるための弾性係止爪１４より充分に大きく形成されている。
【０００５】
ところが、ルーバー本体１は樹脂製であるのに対してシールド金具２は強度のある金属製であり、シールド金具２の側壁４とルーバー本体１の側面１３の高さが異なるので、ネジ５を強く締めるとシールド金具２の側壁４によりルーバー本体１のフランジ部６が押されてルーバー本体１が歪むことがあった。また、金網３はシールド金具２のルーバー本体側に溶接されているので、金網３の板厚分のすきま３２が、ルーバー本体１とシールド金具２の間の四隅に発生し、ネジ５により強く締めるとすきま３２の分、ルーバー本体１がシールド金具２に引き寄せられ、ルーバー本体１が歪むことで、ルーバーのカバーが外れたり、電磁シールド特性が低下する可能性があることが判明した。
【特許文献１】特開２０００‐２９４９６７号公報
【発明の開示】
【発明が解決しようとする課題】
【０００６】
本発明は上記した従来の問題点を解決して、ルーバー本体を歪ませることなくシールド金具を確実に固定することができ、安定した電磁シールド特性を得ることができる電磁シールド型ルーバーを提供するためになされたものである。
【課題を解決するための手段】
【０００７】
上記の課題を解決するためになされた本発明は、ルーバー本体と、そのキャビネット内面側に取り付けられたシールド金具とからなる電磁シールド型ルーバーであって、ルーバー本体はキャビネットパネルに形成された開口部の外周面に接するフランジ部と、ルーバー本体をキャビネット開口部に取付けるための弾性係止爪を備え、シールド金具はルーバー本体の側面を覆う側壁に複数の孔部と、側壁の先端に鍔部を備え、これらの孔部をルーバー本体をキャビネット開口部に取付けるための弾性係止爪に嵌入係止することによりルーバーに仮保持し、鍔部を上記フランジ部とキャビネットパネルとの間に挟みこむことによりシールド金具を固定したことを特徴とするものである。
【発明の効果】
【０００８】
本発明の電磁シールド型ルーバーはシールド金具の孔部をルーバー本体の弾性係止爪に嵌入係止することにより、シールド金具をルーバー本体に仮保持し、シールド金具の側壁先端の鍔部をキャビネットパネルとルーバー本体のフランジ部との間に挟みこむことによりシールド金具を固定したので、従来のネジ止め方式とは異なり、シールド金具によってルーバー本体が歪むことなく、電磁シールド特性が低下することがない。
【発明を実施するための最良の形態】
【０００９】
以下に本発明の好ましい実施形態を、図１〜図３を参照しつつ詳細に説明する。
図１は本発明の実施形態を示す分解斜視図であり、１０は樹脂製のルーバー本体、２０は金属製のシールド金具である。ルーバー本体１０はフランジ部１１と筒状部１２とを備えている。図３に示すように、キャビネットパネル３０には開口部３１が形成されており、ルーバー本体１０はキャビネットの外側からこの開口部３１に挿入される。このためルーバー本体１０の筒状部１２は開口部３１の内面形状と同一形状であり、フランジ部１１は開口部３１の外周面に接するように形成されている。なおフランジ部１１の四隅にはネジ止め用の孔１５が形成されている。またフランジ部１１の外周端１６は僅かに内向きに屈曲させてある。
【００１０】
この実施形態では筒状部１２は四角柱状であり、その内部に周知のルーバー構造が形成されている。またこの筒状部１２の側面１３の複数箇所には、ルーバー本体１０をキャビネット開口部３１に取り付けるための弾性係止爪１４が形成されている。この実施形態では弾性係止爪１４は特許文献１に示されたような弾性のある取り付け爪であり、ルーバー本体１０のフランジ部１１に近い側が自由端となり外側に拡がっている。このため、図３に示されるようにルーバー本体１０の筒状部１２を外側からこの開口部３１に挿入すると、キャビネットパネル３０の内側で弾性係止爪１４が外側に拡がり、ルーバー本体１０の脱落を防止することができる。
【００１１】
シールド金具２０はルーバー本体１０の筒状部１２の外側に装着されるもので、電磁シールド用の金網２１が設けられた四角形状の平面部２２と、その四方に設けられルーバー本体１０の側面１３を覆う側壁２３とを備えている。図１に示されるようにこれらの側壁２３の先端はほぼ直角に外向きに折り曲げられて鍔部２４となっている。また対向する２つの側壁２３には上記した弾性係止爪１４が嵌る大きさの孔部２５が設けられている。孔部２５の先端は鍔部２４の基部まで延びている。
【００１２】
このため、図２に示すようにシールド金具２０をルーバー本体１０の筒状部１２に被せると、ルーバー本体１０の弾性係止爪１４がシールド金具２０の孔部２５に嵌り込んだうえで僅かに外側に拡がるので、シールド金具２０はルーバー本体１０の筒状部１２に仮保持された状態となる。このようにシールド金具２０を仮保持させたルーバー本体１０をキャビネットパネル３０の開口部３１に嵌め込み、さらにルーバー本体１０のフランジ部１１の四隅に形成されたネジ止め用の孔１５に取り付けネジ１７を通してルーバー本体１０をキャビネットパネル３０に固定する。この状態を図３の斜視図と、図４の要部拡大断面図に示す。
【００１３】
これにより、シールド金具２０の鍔部２４はキャビネットパネル３０とルーバー本体１０のフランジ部１１との間に挟み込まれ、シールド金具が固定される。前記したように、フランジ部１１の外周端１６は鍔部２４の板厚分だけ僅かに内向きに屈曲させてあるので、シールド金具２０の鍔部２４を挟み込んでもシール性が低下することはない。
【００１４】
本発明では従来のようにシールド金具２をルーバー本体１にネジ止めで固定せず、上記のようにシールド金具２０の孔部２５をルーバー本体１０の弾性係止爪１４に嵌入係止することにより、シールド金具２０をルーバー本体１０に仮保持し、シールド金具２０の側壁先端の鍔部２４をキャビネットパネル３０とルーバー本体１０のフランジ部１１との間に挟みこむことによりシールド金具２０を固定したので、シールド金具２０によってルーバー本体１０が歪むことなく、電磁シールド特性が低下することがない。また、ルーバー本体１０をキャビネットに取り付けるための弾性係止爪１４を利用して、シールド金具２０をルーバー本体１０に仮保持しているので、組み立ての作業性に優れる利点がある。
【図面の簡単な説明】
【００１５】
【図１】本発明の実施形態を示す分解斜視図である。
【図２】シールド金具をルーバー本体にはめ込んだ状態の斜視図である。
【図３】キャビネットパネルへの取り付け状態を示す斜視図である。
【図４】取り付け状態を示す要部拡大断面図である。
【図５】従来技術を示す分解斜視図である。
【図６】従来技術を示す斜視図である。
【符号の説明】
【００１６】
１  従来技術におけるルーバー本体
２  シールド金具
３  金網
４  側壁
５  ネジ
６  フランジ部
１０  本発明におけるルーバー本体
１１  フランジ部
１２  筒状部
１３  側面
１４  弾性係止爪
１５  ネジ止め用の孔
１６  外周端
１７  取り付けネジ
２０  シールド金具
２１  電磁シールド用の金網
２２  平面部
２３  側壁
２４  鍔部
２５  孔部
３０  キャビネットパネル
３１  開口部
３２  すきま
【図１】
2008028054.tif 000003
【図２】
2008028054.tif 000004
【図３】
2008028054.tif 000005
【図４】
2008028054.tif 000006
【図５】
2008028054.tif 000007
【図６】
2008028054.tif 000008